(57)【要約】      （修正有）【課題】空気循環装置や空気供給装置の空気流に取り付けるだけで、空気を活性化しかつ、銅の抗菌・抗ウイルス機能をもつ、３２〜３８テラヘルツの共鳴電磁波を放射する空気フィルタ用銅製ネットを提供する。【解決手段】特定の周波数の共鳴電磁波を、２〜１２時間、２０℃〜９０℃の温度条件下で、空気フィルタ用銅製ネット１２に照射することで、空気フィルタ用ネット自体を共鳴電磁波１４の放射体とすることにより３２〜３８テラヘルツの共鳴電磁波を放射し、吸引空気１５を活性化された吐出空気１６にして抗菌・抗ウイルス機能をもたせる。【選択図】図２
0003233107.tif 000002
【実用新案登録請求の範囲】
【請求項１】
特定の周波数の共鳴電磁波を、２〜１２時間、２０℃〜９０℃の温度条件下で、空気フィルタ用銅製ネットに照射することで、当該空気フィルタ用ネット自体を当該共鳴電磁波の放射体とすることにより３２〜３８テラヘルツの共鳴電磁波を放射し、且つ抗菌・抗ウイルス機能をもつことを特徴とする空気フィルタ用ネット。
【考案の詳細な説明】
【技術分野】
【０００１】  本考案は、３２〜３８テラヘルツの共鳴電磁波を放射し、銅の持つ抗菌・抗ウイルス機能をもつことを特徴とする空気フィルタ用銅製ネットに関するものである。空気の吸引または吐出口に取り付けるだけで、当該共鳴電磁波が、抗菌・抗ウイルス化された空気を活性化し、中にいる人を菌やウイルスから防御し、かつ体調を還元側に改善し、健康な状態にする。
【背景技術】
【０００２】  近年、消臭や抗菌剤処理をした機能性のある空気用フィルタが開発されている。【０００３】  また、遠赤外線やその他の周波数領域の電磁波を発振する鉱物や金属やセラミックを練りこんだ空気用フィルタが、室内空気の改善を目的として開発されているが、効果の安定性や均一性や耐久性に問題があるものがほとんどである。その主な理由として遠赤外線領域電磁波の発生源や周波数が特定されておらず、また現在の技術レベルでその周波数や効果を定量的に解析することが難しいためと考えられる。
【特許文献１】特開２０１１−１７７５１８
【特許文献２】特開２００６−５０８０９７
【考案の概要】
【考案が解決しようとする課題】
【０００４】  空気中の塵埃を除去するために空気用フィルタを空気の吸引口や吐出口に取り付けることが多いが、近年、空気用フィルタに遠赤外線を放出する物質を練り込むことで、消臭や抗菌機能を有する空気用フィルタも開発されている。しかし遠赤外線の周波数が明確でないものが多く、効果も安定せず、広く普及するための問題となっている。
【課題を解決するための手段】
【０００５】  このような課題を解決するために本考案者は、３２〜３８テラヘルツの共鳴電磁波を、抗菌・抗ウイルス効果を持つ銅製ネットに照射することが容易で、当該ネットから放射される共鳴電磁波が水分子クラスタの水素結合を分断したり、電子の散乱運動を円滑にすることができることに着目した。【０００６】  すなわち、３２〜３８テラヘルツの共鳴電磁波を、２〜１２時間、２０℃〜９０℃の温度条件下で、空気フィルタ用ネットの素材である抗菌・抗ウイルス効果を持つ銅製ネットに照射することで、当該ネット自体を抗菌・抗ウイルス効果を持ち、かつ当該共鳴電磁波の放射体とする。【０００７】  空気フィルタ用銅製ネットの素材自体を共鳴電磁波の放射体とすることで、共鳴電磁波を放射するセラミックや金属の粉末を混入させた空気フィルタ用ネットよりも安定性や耐久性が増し、当該粉末の剥離により効力を減じるという問題を解決でき、且つ抗菌、抗ウイルス効果も解決できる。【０００８】  また、空気フィルタ用銅製ネットから放射される共鳴電磁波の周波数を３２〜３８テラヘルツと限定することで、周波数によって効果が明確にできないという問題点を解決でき、且つ銅による抗菌、抗ウイルス効果を解決できる。
【考案の効果】
【０００９】  本考案によれば、空気の循環装置や供給装置の吸入口または吐出口に取り付けるだけで、室内空気が抗菌・抗ウイルス化され、且つ改質され、当該室内にいる人の精神状態や健康状態を改善できる効果が明確で持続性の高い３２〜３８テラヘルツの共鳴電磁波を放射する汎用性の高い空気フィルタ用ネットを提供できる。【００１０】  また、本考案による空気フィルタ用ネットを介した空気を室内に供給することにより、当該室内にいる人の健康状態が、唾液ＯＲＰの値を比較することで、還元化し、改善されることが、容易に確認された。【００１１】  また、当該ネットを通過した空気は、当該空気を供給される室内にいる人の体全体の皮膚細胞や血流の水分や各種成分の水素結合を共振励起し、当該水素結合を分離する。そして当該水素結合から放出された電子が高速で血液中や細胞水中を移動し、他の原子や分子と衝突することにより次々とカスケード的に電子（マイナスイオン）が大量に放出され、当該血液や細胞水を低分子量化し、酸化還元電位を還元側にし、水分のＰＨ値をアルカリ側にし、当該血液や細胞水を活性化する。【００１２】  また、低分子量化され活性化された血液は血行を改善し、唾液の酸化還元電位を還元側にする。【００１３】  また、低分子量化され活性化された細胞水は筋肉細胞を柔軟にし、血管や神経の圧迫を解放し、疼痛や疲労を緩和する。【００１４】  さらに、銅の抗菌・抗ウイルス機能も同時にもつ。
【考案を実施するための形態】
【００１５】  以下、本考案の実施形態について図面を参照しながら詳細に説明する。
図１は、本考案の空気フィルタ用銅製ネットの製造方法を示すイメージ図である。
図２は、本考案の空気フィルタ用銅製ネットの作用を示すイメージ図である。
【００１６】  図１に示すように、共鳴電磁波放射体１の上に、空気フィルタ用銅製ネット素材２を密着させて置き当該放射体１から放射される３２〜３８テラヘルツの共鳴電磁波４を、当該空気フィルタ用ネット素材２に、２〜１２時間照射する。
【００１７】  当該共鳴電磁波放射体１の下には２０℃〜９０℃の温度調節が可能なヒーター３が設けられていて、３２〜３８テラヘルツの共鳴電磁波４を空気フィルタ用ネット素材２に効率良く照射できる。
【００１８】  図２に示すように、本考案の空気フィルタ用銅製ネット１２を、空気循環装置または空気供給装置の空気流の中に設置する。
【００１９】  当該空気フィルタ用ネット１２は、銅により製作され、重量も軽く、簡単に折りたたんだり伸ばしたりできるため取り扱いが容易である。
【００２０】  当該空気フィルタ用ネット１２は、３２〜３８テラヘルツの共鳴電磁波１４を放射し、吸引空気１５に放射される。
【００２１】  共鳴電磁波１４の共振作用により、固有振動数の一致する吸引空気１５の水蒸気の水分子クラスタ１７の水素結合が切断され、水素イオン１８と電子１９を空気中に放出し、単分子化される。
【００２２】  空気中に放出された水素イオン１８や電子１９を含んだ吐出空気１６を、体内に吸引すると、吸引した人の体を還元し快活で元気にし、且つ抗菌、抗ウイルス効果で病気を防御する。
【実施例】
【００２３】  空調装置の空気吸い込み側に本空気フィルタ用ネットを取り付け、取り付け前後の唾液の酸化還元電位を測定し比較したところ、５人の被験者全員が、当該ネット取り付け後の酸化還元電位が還元側に大きく移行し、体が健康的で元気になったことを示した。【００２４】  また、多くの人に、本考案の空気フィルタ用ネットを空調装置に取り付け試してもらったところ、室内空気がさわやかに改質されること確認された。
【産業上の利用可能な分野】
【００２５】  本考案は、空気フィルタ用銅製ネットとして抗菌、抗ウイルス化された空気を改質するだけでなく、冷蔵庫の庫内循環空気のまたは吐出側に取り付けることで、庫内の消臭や生鮮食品の鮮度保持剤として利用できる。
【図面の簡単な説明】
【００２６】
【図１】は、本考案の空気フィルタ用銅製ネットの製造方法を示すイメージ図である。
【図２】は、本考案の空気フィルタ用銅製ネットの作用を示すイメージ図である。
【符号の説明】
【００２７】１    共鳴電磁波放射体
２    空気フィルタ用銅製ネット素材
３    ヒーター
４    共鳴電磁波
１２  空気フィルタ銅製ネット
１４  共鳴電磁波
１５  吸引空気
１６  抗菌、抗ウイルス化され、活性化された吐出空気
１７  水分子
１８  水素イオン
１９  電子
【図１】
0003233107.tif 000003
【図２】
0003233107.tif 000004